(57)【要約】【課題】使用者に便利性を提供し、且つ極めて優れた実用性と安全性を具備する折畳式バーベキューテーブルを提供すること。【解決手段】横断面略コ字型固定クランプ２２と縦断面略コ字型ロッド２２１及びストッパー片２２２を組合せて構成したものを含み、折畳テーブル面１０と収合テーブル脚２１を組合せて固定した後、横断面略コ字型固定クランプ２２を折畳テーブル面１０の中央に設けられた突抜き槽２０１の両辺に嵌め込み、横断面略コ字型固定クランプ２２により折畳テーブル面１０を堅固に安定する。横断面略コ字型固定クランプ２２には縦断面略コ字型ロッド２２１を接合し、折合底板２３をその上方に設けるのに供し、縦断面略コ字型ロッド２２１が前方に動揺するのを防止する。横断面略コ字型固定クランプ２２と縦断面略コ字型ロッド２２１の接合箇所後方に１個の半円弧状のストッパー片２２２を凹状に設け、縦断面略コ字型ロッド２２１が前後に動揺するのを防止する。【選択図】　図１
0003098741.tif 000002
【実用新案登録請求の範囲】
【請求項１】
１個の折畳テーブル面・１個の収合テーブル脚・２個の横断面略コ字型固定クランプ及び１個の折合底盤等の部材を組合せた折畳式バーベキューテーブルの固定クランプであって、以下のより構成からなることを特徴とする一種の折畳式バーベキューテーブルの固定クランプ。
前記折畳テーブル面は収合テーブル脚と相互に連結固定でき、且つ折畳テーブル面の中央に１個の突抜き槽を設け、横断面略コ字型固定クランプの一辺を前向きでその角度を傾斜した後上から下に突抜き槽との組合せ位置まで下ろし、更に内向きに動かしてテーブルと嵌合固定する。また、横断面略コ字型固定クランプの底端に接合する１個の縦断面略コ字型ロッドを設け、折合底盤の底辺頂上に設けた半円通し孔の上に設置して、縦断面略コ字型ロッドが使用中に前に動揺するのを防止する。別途、横断面略コ字型固定クランプと縦断面略コ字型ロッドの接合箇所の後方に、１個の半円弧状のストッパー片を凸状に設け、縦断面略コ字型ロッドが後方に動揺するのを阻止する。
【請求項２】
横断面略コ字型固定クランプの外側に２個の凸体を凸状に設け、折合底盤をその上方に設置するのに供し、別の用途に使用することを特徴とする請求項１記載の折畳式バーベキューテーブルの固定クランプ。
【考案の詳細な説明】
【０００１】
【考案の属する技術分野】
本考案は一種の折畳式バーベキューテーブルの固定クランプの改良に関するもので、特に折畳式テーブルを更に堅固に安定し使用を便利にすることができる構造設計を指し、消費者が戸外でバーベキューレジャー活動に従事する時、更に実用的で便利な効果を提供する折畳バーベキューテーブルの固定クランプに関する。
【０００２】
【従来の技術】
現在は戸外レジャー活動が普遍的に重視されると同時に、キャンプ・旅行・バーベキュー及び戸外食事等の戸外活動では、バーベキューは既に不可欠の必須活動項目の一つになっている。使用者の需要に対し、業者は１個のバーベキュー炉と折畳式バーベキューテーブルを組合せた構造を設計し、これにより消費者が外出活動動時に多くの物を携帯して非常に煩わしく感ずることなく、個別に折畳部品を組合せるだけ、テーブルにして使用でき、バーベキューも兼ねる優れた用途を具える。
【０００３】
従来の折畳式バーベキューテーブルの一例について図５を参照して説明する。図５に示すものは周知の折畳式バーベキューテーブル固定クランプ構造である。その主要なものは、固定クランプ（１１）が折畳テーブル面（１０）の中央に設けられた突抜き槽（１０１）の両辺をクランプし、また１個の横断面略コ字型ロッド（１２）を固定クランプ（１１）前方の凹状に設けられたスロット（１１１）の上方に掛ける。その外、横断面略コ字型ロッド（１２）の両ロッド端底に内に向けて１個の凸体（１２１）を設け、１個の底盤（１３）の両辺の頂上に設けた通し孔（１３１）に引掛けるのに供す。この設計は最も便利な使用を提供するが、下記のような欠点がある：
その一。その固定クランプ（１１）は概ね１つの直線を成すが、折畳テーブル面（１０）は多くの折畳ブロックが連なって出来ている。固定クランプ（１１）と折畳テーブル面が固定される時、突抜き槽（１０１）の一辺を挟むだけで、折畳テーブル面（１０）のその他の折畳ブロックとは相互に連結されておらず、折畳テーブル面（１０）は不安定になる。戸外活動では活動は避けられず、ちょっとした不注意でテーブルに当り衝撃を与え、使用者が丁度バーベキューを行っている時は、予想できない事故が発生する。
その二。その横断面略コ字型ロッド（１２）は固定クランプ（１１）のスロット（１１１）上方に掛けられ、且つ底盤（１３）も横断面略コ字型ロッド（１２）の凸体上に引掛けられており、横断面略コ字型ロッド（１２）の動揺を防止する固定された物はない。底盤（１３）の引掛けが不良の場合は、容易に落下し、使用上不便であるばかりではなく、また使用上の安全性にも欠ける。
【０００４】
【考案が解決しようとする課題】
このことに鑑み、本考案者は改良を考え、実務経験と不断の研究改良進歩を結合して、終に一種の『折畳式バーベキューテーブルの固定クランプ改良』を考案し、更に便利性と実用性を具えた構造を提供した。本考案の設計により以下の考案目的を達成できる。
【０００５】
本考案設計の目的は、一種の折畳式バーベキューテーブルの固定クランプ改良の提供で、主要なものには、１個の横断面略コ字型固定クランプと１個の縦断面略コ字型ロッドより構成される。その中で、折畳テーブル面と収合テーブル脚を組合せ固定した後、横断面略コ字型固定クランプを折畳テーブル面の中央に設けられた突抜き槽の両辺に嵌入し、横断面略コ字型固定クランプにより折畳テーブル面を堅固に安定する。また横断面略コ字型固定クランプに縦断面略コ字型ロッドを接合して、１個の折合底盤をその上方に設置するのに供し、縦断面略コ字型ロッドが前向きに動揺するのを防止する。その外、横断面略コ字型固定クランプとＵ型ロッドの接合箇所後方に１個の半円弧状のストッパー片を設け、縦断面略コ字型ロッドが後向きに動揺するのを防止する。この設計により、同折畳式バーベキューテーブルは使用者に便利性を提供し、且つ極めて優れた実用性と安全性を具備する。
【０００６】
【課題を解決するための手段】
本考案は一種の折畳式バーベキューテーブルの固定クランプの改良に関するもので、主要なものには１個の横断面略コ字型固定クランプと１個の縦断面略コ字型ロッド及びストッパー片を組合せて構成したものを含む。その中で、折畳テーブル面と収合テーブル脚を組合せて固定した後、横断面略コ字型固定クランプを折畳テーブル面の中央に設けられた突抜き槽の両辺に嵌め込み、横断面略コ字型固定クランプにより折畳テーブル面を堅固に安定する。また横断面略コ字型固定クランプには１個の縦断面略コ字型ロッドを接合し、１個の折合底板をその上方に設けるのに供し、縦断面略コ字型ロッドが前方に動揺するのを防止する。その外、横断面略コ字型固定クランプと縦断面略コ字型ロッドの接合箇所後方に１個の半円弧状のストッパー片を凹状に設け、横断面略コ字型ロッドが前後に動揺するのを防止する。この設計により、同折畳式バーベキューテーブルは使用者に便利を提供し、更に極めて優れた実用性と安全性を提供する。
【０００７】
【考案の実施の形態】
本考案の構造の特徴及び特長を明確に説明する為に、添付図を利用して以下に詳細説明する：
先ず、図１は本考案の折畳式バーベキューテーブル（２）の立体図を示す。１個の折畳テーブル面（２０）・１個の収合テーブル脚（２１）・２個の横断面略コ字型固定クランプ（２２）及び１個の折合底盤（２３）等の部材の組合せで構成してある；同折畳テーブル面（２０）は収合テーブル脚（２１）と相互に連結固定でき、且つ折畳テーブル面（２０）には中央に１個の突抜き槽（２０１）を設け、横断面略コ字型固定クランプ（２２）の一辺を前向きでその角度を傾斜した後上から下に突抜き槽（２０１）との組合位置まで下ろし、更に内向きに動かしてテーブルと嵌合固定する。また、図２・図３・図６を参照して、横断面略コ字型固定クランプ（２２）の底端に接合する１個の縦断面略コ字型ロッド（２２１）を設け、折合底盤（２３）の底辺頂上に設けた半円通し孔（２３１）の上に設置して、縦断面略コ字型ロッド（２２１）が使用中に前に動揺するのを防止する。別途、横断面略コ字型固定クランプ（２２）と縦断面略コ字型ロッド（２２１）の接合箇所の後方に、１個の半円弧状のストッパー片（２２２）を凸状に設け、縦断面略コ字型ロッド（２２１）が後方に動揺するのを阻止する；このように、折合底盤（２３）を縦断面略コ字形ロッド（２２１）に前後に動揺するのを防止してぶら下げることができるので、折畳テーブル面（２０）の中央に形成されたいわゆる穴に例えばオーブンを置くことができる。
【０００８】
また、横断面略コ字型固定クランプ（２２）の外側に２個の凸体（２２３）を凸状に設け、折合底盤（２３）をその上方に設置するのに供し、別の用途に使用することができる。例えば、図４に示すように、折合底盤（２３）を凸体（２２３）上に置くと、折畳テーブル面（２０）は穴がふさがった平坦な状態となり、使用者は折畳テーブル面（２０）の上に物を置くことができる。；図７は本考案のストッパー片（２２２）で、テーブル本体に直接設置して使用できる様子を示す図である。
【０００９】
本考案の設計により、下記の特長を達成できる：
その一。本考案の横断面略コ字型固定クランプ（２２）と折畳テーブル面（２０）を相互に嵌合する時、それは突抜き槽（２０１）の縁を固定するだけではなく、折畳テーブル面（２０）のテーブルも同時に固定して、テーブル全体に更なる安定性を具えさせ、容易に動揺しなくなり、消費者は使用上で便利性を感じ、また安全上の問題の憂慮を必要としない。
その二。本考案の縦断面略コ字型ロッド（２２１）は、横断面略コ字型固定クランプ（２２）に接合固定するもので、折合底盤（２３）とその組合せの上方に設置し、縦断面略コ字型ロッド（２２１）の前向きの動揺を阻止する。また、横断面略コ字型固定クランプ（２２）と縦断面略コ字型ロッド（２２１）の接合箇所の後方に、１個のストッパー片（２２２）を凸状に設け、縦断面略コ字型ロッド（２２１）が使用中に後向きに動揺するのを阻止し、極めて優れた安全性を具える。
【００１０】
【考案の効果】
上述の綜合として、本考案の「折畳式バーベキューテーブル固定クランプの改良」は、消費者が一般戸外レジャー活動に従事する時に、極めて優れた実用性・便利性及び安全性を提供する。従って、本考案の設計は、１個の優良な考案に属し、新型特許申請要件に符合するので、ここに申請を提出する。
【図面の簡単な説明】
【図１】本考案の立体分解図である。
【図２】本考案の固定クランプの立体拡大図である。
【図３】本考案の部分組合断面拡大図である。
【図４】本考案の最良実施例の立体組合図である。
【図５】伝統（従来技術）折畳式バーベキューテーブルの立体図である。
【図６】本考案の固定クランプの下面拡大図である。
【図７】本考案の他の１個の最良実施例を示す図である。
【符号の説明】
（１）　　　伝統（従来技術）折畳式バーベキューテーブル　（１０）　　　折畳テーブル面
（１０１）　　突抜き槽　　　　　　　　　　　　　　　　　　　　　　　　　　　　　　　　　（１１）　　　固定クランプ
（１１１）　　スロット　　　　　　　　　　　　　　　　　　　　　　　　　　　　　　　　　（１２）　　　縦断面略コ字型ロッド
（１２１）　　凸体　　　　　　　　　　　　　　　　　　　　　　　　　　　　　　　　　　　　　（１３）　　　底盤
（２）　　　折畳式バーベキューテーブル　　　　　　　　　　　　　　　（２０）　　　折畳テーブル面
（２０１）　　突抜き槽　　　　　　　　　　　　　　　　　　　　　　　　　　　　　　　　　（２１）　　　収合テーブル脚
（２２）　　　横断面略コ字型固定クランプ　　　　　　　　　　　　　　　（２２１）　縦断面略コ字型ロッド
（２２２）　　ストッパー片　　　　　　　　　　　　　　　　　　　　　　　　　　　　　（２２３）　　凸体
（２３）　　　折合底盤　　　　　　　　　　　　　　　　　　　　　　　　　　　　　　　　　（２３１）　　半円通し孔
【図１】
0003098741.tif 000003
【図２】
0003098741.tif 000004
【図３】
0003098741.tif 000005
【図４】
0003098741.tif 000006
【図５】
0003098741.tif 000007
【図６】
0003098741.tif 000008
【図７】
0003098741.tif 000009